(57)【特許請求の範囲】
【請求項１】
第１ケース体と、該第１ケース体に重ね合わせて組み付けられる第２ケース体とを備え、前記第１ケース体と第２ケース体とが組み付けられて形成される基板収納部に回路基板が収納される遊技機用基板収納ケースであって、
前記第１ケース体の側部に外方に張り出して形成された延設部と、第２ケース体の側部に外方に突設され、前記延設部に形成された挿入部に挿入される重合部と、
前記第１ケース体と第２ケース体のうち少なくとも一方のケース体の側部に外方に向けて突設された係合突起と他方のケース体の側部に設けられた係合孔と、
前記第２ケース体の前記重合部の先端に切断部を介して設けられた第１封止部と、
前記第１ケース体の前記延設部に設けられた第１被封止部と、を具備し、
前記延設部の挿入部に前記重合部を挿入したのち、前記挿入部の一部をガイド面として前記第１ケース体に対し第２ケース体を相対的に回転移動させ重ね合わせる重合状態から当該重合状態を保ちつつ前記第１ケース体に対し第２ケース体を相対的にスライド移動させ前記係合突起と係合孔を係合させて前記第１封止部と前記第１被封止部とが重なり合う閉塞重合状態とすることにより前記第１ケース体と前記第２ケース体が封止可能となり前記第１ケース体と第２ケース体とが相対的に回転不能に組み付けられることを特徴とする遊技機用基板収納ケース。
【請求項２】
前記第１ケース体の側部には切断部を介して第２封止部が設けられ、前記第２ケース体の側部には第２被封止部が設けられている請求項１記載の遊技機用基板収納ケース。
【請求項３】
請求項１又は請求項２項記載の遊技機用基板収納ケースを備えたことを特徴とする遊技機。
【発明の詳細な説明】
【技術分野】
【０００１】
本発明は、遊技機用基板収納ケース及びそれを備えた遊技機に関する。
【背景技術】
【０００２】
パチンコ機などの遊技機には、遊技機本体の正面側に遊技盤や図柄表示装置（液晶表示装置）が視認可能に設けられる一方で、遊技機背面側には、遊技盤の背面側を覆う盤裏カバーや遊技機本体の背面側に遊技機の動作を制御する各種制御基板が設けられている。例えば、商用電源から各種制御基板に電源を供給する電源回路を供えた電源基板、図柄表示装置の動作制御を行なう画像処理基板、スピーカーから出力される音声を制御する音声制御基板、遊技機の遊技動作を制御する主制御基板、球払出装置の動作を制御する払出制御基板、球発射装置の動作を制御する発射制御基板などが設けられている。特に主制御基板、払出制御基板は、基板収納ケースに収納されている。
【０００３】
基板収納ケースの一例について説明すると、ＣＰＵやＲＯＭ，ＲＡＭ、コネクタ端子台などの電気部品が片面に実装された主制御基板の実装面側を覆うように組み付けられるケースカバーと、該ケースカバーに重ね合わせて組み付けられるケース本体とを備え、ケースカバーとケース本体とが組み付けられて形成される基板収容部に主制御基板が収納されるものである。
【０００４】
具体的には、主制御基板の実装面を覆うケースカバーの長手方向一側面から突設された係止片を対応するケース本体の長手方向一側面に設けられた係止凹部に挿入してケースカバーを回転させることによりケース本体の四方を囲む側壁に囲まれた収納空間内に嵌め込まれる。そして、ケースカバー側に設けられたワンウェイねじによりケース本体側の被固着部に設けられたねじ孔にねじ嵌合させて基板収納ケースが封止されるようになっている。
【０００５】
基板収納ケースは、主制御基板の検査が行われたことや不正行為が行なわれた事実が外観上判明できるように、ケースカバー側に設けられた封止部を破壊しなければケース本体よりケースカバーを取り外せないようになっている。また、一旦開放されたケースカバーを再度ケース本体に組み付けて主制御基板を封止できるように、ワンウェイねじと被固着部が複数箇所に設けられている（特許文献１参照）。
【先行技術文献】
【特許文献】
【０００６】
【特許文献１】特開２００８−１５４８２７号公報
【発明の開示】
【発明が解決しようとする課題】
【０００７】
特許文献１では、ケースカバーをケース本体に回転して嵌め込んでいるだけになり、両ケースの隙間に異物を挿入される可能性があり、基板収納ケースのケースカバーを無理やり開放して主制御基板を改変することで遊技性（例えば大当たりの確率）を変える不正が行なわれるおそれがある。
かかる不正行為を防止するため、一旦封止された基板収納ケースが容易に開放できないこと、不正開放を迅速に発見できるようにするため、基板収納ケースが開放放された場合には、当該基板収納ケースに何らかの開封の痕跡が残る構成が望まれる。
【０００８】
本発明の目的は、上記実情に鑑みてなされたものであり、基板収納ケースの開放が容易に行ない難く、しかも組み付けの作業性がよい遊技機用基板収納ケース及びそれを備えることで不正防止効果を高めた遊技機を提供することにある。
【課題を解決するための手段】
【０００９】
本発明は上記目的を達成するため、以下に述べる実施形態に用いられる手段として次の構成を備えることを特徴とする。
第１ケース体と、該第１ケース体に重ね合わせて組み付けられる第２ケース体とを備え、前記第１ケース体と第２ケース体とが組み付けられて形成される基板収納部に回路基板が収納される遊技機用基板収納ケースであって、前記第１ケース体の側部に外方に張り出して形成された延設部と、第２ケース体の側部に外方に突設され、前記延設部に形成された挿入部に挿入される重合部と、前記第１ケース体と第２ケース体のうち少なくとも一方のケース体の側部に外方に向けて突設された係合突起と他方のケース体の側部に設けられた係合孔と、前記第２ケース体の前記重合部の先端に切断部を介して設けられた第１封止部と、前記第１ケース体の前記延設部に設けられた第１被封止部と、を具備し、前記延設部の挿入部に前記重合部を挿入したのち、前記挿入部の一部をガイド面として前記第１ケース体に対し第２ケース体を相対的に回転移動させ重ね合わせる重合状態から当該重合状態を保ちつつ前記第１ケース体に対し第２ケース体を相対的にスライド移動させ前記係合突起と係合孔を係合させて前記第１封止部と前記第１被封止部とが重なり合う閉塞重合状態とすることにより前記第１ケース体と前記第２ケース体が封止可能となり前記第１ケース体と第２ケース体とが相対的に回転不能に組み付けられることを特徴とする。
【００１０】
上述した遊技機用基板収納ケースを用いれば、延設部に形成された挿入部に重合部を挿入したのち、挿入部の一部をガイド面として第１ケース体に対し第２ケース体を相対的に回転移動させ重ね合わせる重合状態から当該重合状態を保ちつつ第１ケース体に対し第２ケース体を相対的にスライド移動させ係合突起と係合孔を係合させた閉塞重合状態とすることにより第１ケース体と第２ケース体とが相対的に回転不能に組み付けられる。よって、第１ケース体と第２ケースが回転動作及びスライド動作をともなって組み付けられているので、第１ケース体を第２ケース体より容易に取り外すことができないため、基板収納ケースの開放に手間がかかり不正行為を行い難くなる。
【００１２】
また、第２ケース体の重合部の先端には第１封止部が切断部を介して設けられ、第１ケース体の延設部には第１被封止部が設けられており、第１封止部と第１被封止部とは、第１ケース体と第２ケース体とが重なり合った重合状態から相対的にスライド移動させた閉塞重合状態となることにより第１封止部が第１被封止部と重なり合い、第１ケース体と第２ケース体が封止可能となる。よって、第１ケース体と第２ケース体とが閉塞重合状態にならないと第１封止部と第１被封止部を封止可能にならず、ケース体どうしが中途半端な重なり合いの状態で封止されることが無いので確実に組み付けられた状態で封止することができる。
【００１３】
また、前記第１ケース体の側部には切断部を介して第２封止部が設けられ、前記第２ケース体の側部には第１被封止部が設けられていることを特徴とする。
【００１４】
これによれば、第１，第２ケース体の側部には切断部を介して封止部が各々設けられているので、１回の封止で第１，第２封止部を共に封止しておくことで基板収納ケースを開放するには、第１，第２封止部を接続している切断部を共に切断する必要がある。よって、一旦組み付けられた基板収納ケースを開放するには、第１封止部及び第２封止部を破壊する必要があるため、必ず第１ケース体及び第２ケース体の双方に開封の痕跡が残る。従って、第１ケース体若しくは第２ケース体を複製し難くなるため不正行為を抑止することができる。
【００１５】
また、前記第１ケース体と第２ケース体が閉塞重合状態となると、第１封止部と第１被封止部と同様に第２封止部と第２被封止部とが重なり合い封止可能に組み付けられると、組み付け時の作業性が向上するとともに、確実に回路基板を基板収納ケースに収納し封止することができる。
【００１６】
また、遊技機においては、上述した遊技機用基板収納ケースを備えたことを特徴とする。
【００１７】
上述した遊技機用基板収納ケースを備えた遊技機においては、不正行為を有効に防止でき、不正防止効果を高めることができる。
【発明の効果】
【００１８】
本発明によれば、基板収納ケースの開放が容易に行ない難く、しかも組み付けの作業性がよい遊技機用基板収納ケースを提供することができるという効果を奏する。
【００１９】
また、上述した遊技機用基板収納ケースを備えたことで、不正行為を有効に防止でき、不正防止効果を高めた有用な遊技機を提供することができるという効果を奏する。
【図面の簡単な説明】
【００２０】
【図１】パチンコ機の正面図である。
【図２】図１のパチンコ機の背面図である。
【図３】主制御基板を収納する基板収納ケースの平面図及び斜視図である。
【図４】第１ケース体の分解斜視図である。
【図５】第２ケース体の分解斜視図である。
【図６】第１ケース体と第２ケース体との組み付け状態を示す説明図である。
【図７】図６に続く第１ケース体と第２ケース体との組み付け状態を示す説明図である。
【図８】第１ケース体と第２ケース体が重合状態を示す斜視図、図３（ａ）の矢印Ｂ−Ｂ断面図、同矢印Ｃ−Ｃ断面図である。
【図９】第１ケース体と第２ケース体が閉塞重合状態を示す斜視図、図３（ａ）の矢印Ｂ−Ｂ断面図、同矢印Ｃ−Ｃ断面図である。
【図１０】封止部の封止前、封止後、封止部切断後の状態を示す図３（ａ）の矢印Ａ−Ａ方向断面図である。
【図１１】かしめ部のかしめ前、かしめ後、切断スライド後の状態を示す図３（ａ）の矢印Ｂ−Ｂ方向断面図である。
【図１２】かしめ部のかしめ前、かしめ後、切断スライド後の状態を示す平面図である。
【図１３】基板収納ケースを開放後の状態を示す斜視図である。
【発明を実施するための形態】
【００２１】
以下、本発明の実施形態について図面を参照しながら具体的に説明する。
図１及び図２を参照して本実施形態に係る遊技機の概略構成について説明する。本実施例としては、遊技機の一例としてパチンコ機について説明するものとする。
【００２２】
図１を参照して本実施形態に係るパチンコ機の概略構成について説明する。パチンコ機１は、外枠２と遊技盤３が設けられた内枠４（図２参照）と、該内枠４を覆う前面枠５を備えている。内枠４は、ヒンジ４ａ，４ｂにより外枠２に対して開閉可能に取り付けられている。また前面枠５は内枠４に対して開閉可能に取り付けられている（ヒンジ部図示せず）。前面枠５の中央部には遊技者が遊技盤３を視認できる窓部（ガラス枠）６が設けられている。該窓部６の周囲にはスピーカー７や装飾部（図示せず）などが設けられる。
【００２３】
また、窓部６の下方には、貸球や賞球を貯留し図示しない球発射装置へ球を誘導する球受け皿８が設けられている。球受け皿８の右側には、図示しない球発射装置によって遊技領域へ発射される遊技球の発射力を調節するための発射ハンドル９が設けられている。
【００２４】
遊技盤３の盤面上に形成される遊技領域内には、中央部に図柄表示装置（液晶表示装置）１０を備えたセンター役物１１が設けられ、その周囲には図示しない釘、スルーチャッカー１２、風車１３、電動チューリップ１４、アタッカー１５、遊技盤レール１６、サイドランプ１７などの盤面部品やアウト球（電動チューリップ１４，アタッカー１５に入賞しなかった遊技球）を回収するアウト口１８などが設けられている。
【００２５】
図２において、内枠３の背面側上辺部には貯留タンク１９が設けられ、貯留タンク１９にはパチンコ機１が配置されたホールの島から遊技球が供給される。貯留タンク１９は、球供給方向下流側（図２の右端側）に設けられるタンクレール２０に向けて底部が下方に傾斜するように形成されている。また、タンクレール２０の終端部（下流端）には球通路２１ａが連絡しており、球通路２１ａの下流側は球払出装置２１（球払出手段）に接続されている。球払出装置２１はタンクレール２０より球通路２１ａを通じて整列して供給される遊技球を貸球、賞球として順次払い出す。球払出装置２１より払い出された遊技球は、球払出通路２２を流下して球払出樋２３を経て球受け皿８（図１参照）へ払い出される。
【００２６】
図２において、遊技盤３の背面側は盤裏カバー２４に覆われている。遊技盤３の背面側には、遊技動作を統括制御する主制御基板（回路基板）２５や図柄表示装置１０とこれを制御する画像処理基板等（図示せず）、球払出装置２１の動作を制御する払出制御基板２６、球発射装置（図示せず）の動作を制御する発射制御基板２７などが設けられている。上記払出制御基板２６及び発射制御基板２７は内枠４に組み付けられ、主制御基板２５は、後述する基板収納ケース２８に収納されて封止された状態で盤裏カバー２４に組み付けられる。
【００２７】
次に、主制御基板２５を収納する基板収納ケース２８の一例について図３乃至図５を参照して説明する。基板収納ケース２８は、蓋ケース（第１ケース体）３１がベース体（第２ケース体）３２と一体に組み付けられて形成される基板収容部Ｓ（図６（ｂ）参照）に主制御基板２５が収容されて封止される。蓋ケース３１及びベース体３２は、ケース内を視認できるように透明な合成樹脂で形成されている。以下、各部の構成について具体的に説明する。
【００２８】
図４において、主制御基板２５にはパチンコ機の動作を制御するＣＰＵや各種制御プログラムを記憶したＲＯＭ，入力データを一時記憶したりＣＰＵのワークエリアとして使用されたりするＲＡＭ、各種配線接続用のコネクタ端子台２９などの電気部品が片面に実装されている。また、パチンコ機１の検査に用いられる照合端子３０も設けられている。
【００２９】
図４において、四方を側部３１ａ〜３１ｄに囲まれた開口部を有する筐体状の蓋ケース３１は、主制御基板２５の実装面を覆うように組み付けられる。具体的には、図３（ａ）に示すように蓋ケース３１には、コネクタ端子台２９を挿通する挿通孔３１ｅや照合端子３０を挿通する挿通孔３１ｆが設けられている。図４に示す主制御基板２５に設けられたビス孔２５ａと蓋ケース３１に設けられたビス孔（図示せず）を重ね合わせ、かつコネクタ端子台２９を挿通孔３１ｅに挿通させ、照合端子３０を挿通孔３１ｆに挿通させた状態でビス３３によりビス止めして蓋ケース３１に主制御基板２５が一体に固定される。
【００３０】
また、図４において、蓋ケース３１の長手方向に対向する一組の側部３１ａ，３１ｂのうち一方側の側部３１ａの外方に枠体部３４（延設部）が張り出して形成されている。枠体部３４には、第１被封止部３５が複数箇所（例えば２箇所）に設けられている。第１被封止部３５には、後述する第１かしめピン４１（第１封止具；図５参照）が嵌め込み係止される第１嵌め込み孔３５ａ（第１被封止部）が穿孔されている。第１被封止部３５には、後述するベース体３２に設けられた重合アーム４０（重合部；図５参照）が重ね合わせて組み付けられる。第１被封止部３５と側部３１ａとの間には重合アーム４０の挿入孔３６（挿入部）が複数箇所（２箇所）に設けられている。挿入孔３６は挿入される重合アーム４０より幅広に形成されており、第１被封止部３５は挿入孔３６より外側であって重合アーム４０が重なり合う表面部に設けられている。また、第１被封止部３５は、裏面側に蓋体３５ｂが嵌め込まれて、第１かしめピン４１（図５参照）が挿入される第１嵌め込み孔３５ａが覆われるようになっている。
【００３１】
また、蓋ケース３１の長手方向の他方側の側部３１ｂには、複数箇所（例えば２箇所）で外方に張り出して形成された第２かしめピン３７（第２封止具）を備えた第２封止部３８が切断部３８ｂを介して一体に設けられている。第２かしめピン３７は、上方から蓋体３８ａに覆われて第２封止部３８を封止した第２かしめピン３７が外部から操作できないように封止される。
【００３２】
また、蓋ケース３１の短手方向で対向する一組の側部３１ｃ，３１ｄのうち側部３１ｃの外面には、係合突起３９ａが複数箇所（例えば４箇所）に突設されている。係合突起３９ａは後述するベース体３２の係合孔４３（図５参照）と係合するように設けられている。また、側部３１ｄには係合孔３９ｂが複数箇所（例えば４箇所）に突設されている（図８（ｂ）参照）。係合孔３９ｂには、後述する係合突起３２ｄが係合するように設けられている。
【００３３】
次に、図５において、ベース体３２は、蓋ケース３１と嵌め合うように矩形状に形成されており、その長手方向に対向する一組の側部３２ａ，３２ｂのうち枠体部３４に対応する側部３２ａには複数箇所（例えば２箇所）に重合アーム４０（重合部）が突設されている。重合アーム４０は湾曲面（突面側）が側部３２ａに沿うようにアーチ状に外方に向って湾曲して形成されている。重合アーム４０の先端には、切断部４０ｂを介して第１封止部４２が各々設けられている。第１封止部４２には第１かしめピン４１が設けられており、第１被封止部３５の第１嵌め込み孔３５ａ（図４参照）に嵌め込まれると、嵌め殺し状態で嵌合するように設けられている。第１かしめピン４１は、上方から蓋体４２ａに覆われて第１封止部４２を封止した第２かしめピン４１が外部から操作できないように覆われる。
【００３４】
また、図５において、ベース体３２の長手方向の他方の側部３２ｂには、枠体部４３が張り出して形成されている。枠体部４３には、第２被封止部４４が複数箇所（例えば２箇所）に設けられている。第２被封止部４４には、第２かしめピン３７（図４参照）が嵌め込み係止される第２嵌め込み孔４４ａ（第２被封止部）が穿孔されている。第２被封止部４４は、裏面側に蓋体４４ｂが嵌め込まれて、第２かしめピン３７（図４参照）が挿入された第２嵌め込み孔４４ａが封止されるようになっている。
【００３５】
図５において、ベース体３２の短手方向で対向する一組の側部３２ｃ，３２ｄのうち係合突起３９に対応する側部３２ｃには係合孔４３ａが複数箇所（例えば４箇所）に穿孔されている。係合孔４３ａには、蓋ケース３１の側部３１ｃに突設された係合突起３９ａが嵌め込まれる（図３（ｂ）参照）。また、ベース体３２の側部３２ｄの外面には、蓋ケース３１の側部３１ｄに設けられた係合孔３９ｂに嵌め込まれる係合突起４３ｂが複数箇所（例えば４箇所）に突設されている。
【００３６】
図３（ａ）（ｂ）において、ベース体３２は重合アーム４０を枠体部３４の挿入孔３６より挿入して枠体部３４の湾曲面３４ａ（円弧面；図６（ｂ）参照）をガイド面として回転移動させて蓋ケース３１と重ね合わせる（重合状態；図８（ａ）参照）。そして、蓋ケース３１とベース体３２を重ね合わせたまま、ベース体３２の回転面に対して垂直方向（短手方向）に相対的にスライド移動させることにより、係合突起３９ａと係合孔４３ａ，係合突起３９ｂと係合孔４３ｂを各々係合させる（閉塞重合状態；図９（ｂ）参照）。これにより、蓋ケース３１とベース体３２とが相対的に回転不能に組み付けられる。このように、蓋ケース３１とベース体３２が回転動作及びスライド動作をともなって組み付けられるので、一旦組み付けられた蓋ケース３１をベース体３２より容易に取り外すことができないため、基板収納ケース２８の開放に手間がかかり不正行為を行い難くなる。
【００３７】
また、第１封止部４２と第１被封止部３５、第２封止部３８と第２被封止部４４とは、ベース体３２を蓋ケース３１に対してスライド移動させた閉塞重合状態になると、第１かしめピン４１を第１嵌め込み孔３５ａに、第２かしめピン３８を第２嵌め込み孔４４ａに各々嵌め込み可能に重なり合うようになっている。この状態で、いずれかの第１かしめピン４１及び第２かしめピン３７を長手方向両側で各々かしめることで第１，第２嵌め込み孔３５ａ，４４ａに嵌め殺し状態で嵌め込まれる。
【００３８】
このように、蓋ケース３１とベース体３２とが閉塞重合状態にならないと第１封止部４２と第１被封止部３５、第２封止部３８と第２被封止部４４を封止可能にならず、ケース体どうしが中途半端な重なり合いの状態で封止されることが無いので確実に組み付けられた状態で封止することができる。また、閉塞重合状態となることにより第１封止部４２と第１被封止部３５、第２封止部３８と第２被封止部４４が各々重なり合い、蓋ケース３１とベース体３２とが封止可能となるように組み付けられるので、組み付け時の作業性が向上するとともに、主制御基板２５を基板収納ケース２８に確実に収納し封止することができる。
【００３９】
次に、基板収納ケース２８の組付け作業の一例について、図６乃至図９を参照して説明する。
先ず、図６（ｂ）に示すように主制御基板２５は蓋ケース３１に電気部品実装面を覆われてビス止めされて一体に組み付けられる。
図６（ａ）（ｂ）において、蓋ケース３１に対してベース体３２を垂直方向に立てた状態で、第１封止部４２を先頭にして重合アーム４０を蓋ケース３１の開口側から挿入孔３６に挿入する。このとき重合アーム４０の湾曲部４０ａが湾曲面３４ａに重なり合う。尚、重合アーム４０の幅より挿入孔３６の幅が広いため挿入はスムーズに行なえるが、図１２（ａ）に示すように重合アーム４０の挿入位置によっては蓋ケース３１の係合突起３９ａとベース体３２の側部３２ｃ、ベース体３２の係合突起４３ｂと蓋ケース３１の側部３１ｄが互いに干渉して重合できないおそれもある。そこで、好ましくは挿入孔３６内に図１２（ａ）〜（ｃ）に示すガイドリブ３６ａを突設しておくと、重合アーム４０の挿入位置が規制されて、上述した蓋ケース３１とベース体３２の干渉を防ぐことができる。
【００４０】
図７（ａ）（ｂ）において、重合アーム４０の湾曲部４０ａが湾曲面３４ａに重なり合ったまま、ベース体３２を蓋ケース３１と重なり合う向き（図の反時計回り方向）に回転させる。このとき、重合アーム４０は湾曲部４０ａが湾曲面３４ａをガイド面として回転し、第１封止部４２が第１被封止部３５へ乗り上げる。
【００４１】
図８（ａ）において、ベース部３２が蓋ケース３１に重なり合うと、第１封止部４２が第１被封止部３５へ乗り上がる（重合状態）。しかしながら、図８（ｂ）に示すように、ベース体３２の側部３２ｃと蓋ケース３１の側部３１ｃ，ベース体３２の側部３２ｄと蓋ケース３１の側部３１ｄとの間には各々隙間が設けられている（図１２（ａ）参照）。
【００４２】
また、図８（ｃ）に示すように、第１封止部４２の第１かしめピン４１と第１被封止部３５の第１嵌め込み孔３５ａとは、対向した位置よりずれた位置にある。また図示しないが、第２封止部４２の第２かしめピン３７と第２被封止部４４の第２嵌め込み孔４４ａも対向した位置よりずれた位置にある。
【００４３】
図９（ａ）において、蓋ケース３１とベース体３２を重ね合わせたままベース体３２の回転面に対して垂直方向、即ち回転軸となる湾曲面３４ａの軸方向（蓋ケース３１の側部３１ｃから側部３１ｄに向う方向）に相対的にスライドさせる。このとき、ベース体３２の側部３２ｃと蓋ケース３１の側部３１ｃが突き当たり、ベース体３２の側部３２ｄと蓋ケース３１の側部３１ｄが各々突き当たる。
【００４４】
これにより、図９（ｂ）に示すように、ベース体３２の側部３２ｃに穿孔された係合孔４３ａに蓋ケース３１の側部３１ｃに突設された係合突起３９ａが嵌り込み、側部３２ｄに突設された係合突起４３ｂが側部３１ｄに穿孔された係合孔３９ｂに嵌り込む。これにより、蓋ケース３１とベース体３２とが回転不能に一体に組み付けられる（閉塞重合状態；図１２（ｂ）参照）。
【００４５】
また、図９（ｃ）に示すように、第１封止部４２の第１かしめピン４１と第１被封止部３５の第１嵌め込み孔３５ａとは、対向した位置へ各々移動する。また、図示しないが第２封止部４２の第２かしめピン３７と第２被封止部４４の第２嵌め込み孔４４ａも対向した位置へ各々移動する。これにより、第１，第２かしめピン４１，３７をかしめて基板収納ケース２８を封止可能な状態になる。このように、蓋ケース３１とベース体３２とが閉塞重合状態にならないと、第１封止部４２と第１被封止部３５、第２封止部４２と第２被封止部４４が各々封止可能にならず、ケース体どうしが中途半端な重なり合いの状態で封止されることが無いので確実に組み付けられた状態で封止することができる。
【００４６】
次に、基板収納ケース２８の封止部の構成について封止動作及び封止解除動作とともに図４及び図５並びに図１０乃至図１３を参照して説明する。
先ず、第１封止部４２と第１被封止部３５の構造について図４、図５及び図１０，図１１（ａ）を参照して説明する。尚、第２封止部３８と第２被封止部４４の構造も同様であるので図番を併記して説明を省略する。
【００４７】
図５において、第１封止部４２（第２封止部３８）は、枠体部４２ｂ（３８ｃ）に囲まれた中央部に第１かしめピン４１（第２かしめピン３７；図４参照）が頭部４１ａ（３７ａ；図４参照）に形成された係止溝４１ｂ（３７ｂ；図４参照）が保持部材４２ｃ（３８ｄ；図４参照）に嵌め込まれて組み付けられる。第１かしめピン４１（第２かしめピン３７；図４参照）は、保持部材４２ｃ（３８ｄ；図４参照）と係止溝４１ｂ（３７ｂ；図４参照）が嵌め合うことで枠体部４２ｂ（３８ｃ）内で先端部の一対の爪４１ｃ（３７ｃ）が回転するのを防いでいる。これにより、一対の爪４１ｃ（３７ｃ）が一対の係止爪３５ｃ（４４ｃ）の間に嵌め込み難くなるのを防止している。
【００４８】
また、図１１（ａ）において、枠体部４２ｂ（３８ｃ）の底部には、第１嵌め込み孔３５ａ（４４ａ）と連通して第１かしめピン４１（第２かしめピン３７）の先端部の一対の爪４１ｃ（３７ｃ）を受けるガイドリング４２ｇが設けられている。第１かしめピン４１（第２かしめピン３７）は、ガイドリング４２ｇの径が一対の爪４１ｃ（３７ｃ）より小径であるため第１かしめピン４１（３７）が落下することはない。第１かしめピン４１（第２かしめピン３７）は、頭部４１ａ（３７ａ）が保持部材４２ｃ（３８ｄ）に保持された状態で、枠体部４２ｂ（３８ｃ）の上端開口に蓋体４２ａ（３８ａ）が嵌め込まれる。蓋体４２ａの中央部には工具等を挿入可能な貫通孔４２ｄ（３８ｅ）が穿孔されている。また蓋体４２ａ（３８ａ）の裏面側には、枠体部４２ｂ（３８ｃ）内に進入して係止部４２ｅと係止する一対の係止爪４２ｆ（３８ｆ）が突設されている。一対の係止爪４２ｆ（３８ｆ）は第１かしめピン４１（第２かしめピン３７）の頭部４１ａ（３７ａ）を両側より挟み込んだ状態で係止部４２ｅと係止している。
【００４９】
また、図１１（ａ）において、第１被封止部３５に設けられた第１嵌め込み孔３５ａの周縁部には、ガイドリング４２ｇが同心状に重ね合わせて組み付けられる。図４において、蓋体３５ｂ（４４ｂ）は第１被封止部３５（第２被封止部４４）の第１嵌め込み孔３５ａ（４４ａ）に嵌め込まれる第１かしめピン４１（第２かしめピン３７）を袋状に閉塞するように枠体部３４（４３）の裏面側に組み付けられる。蓋体３５ｂ（４４ｂ）には一対の係止爪３５ｃ（４４ｃ）及びストッパー３５ｄ（４４ｄ）が突設されている。一対の係止爪３５ｃ（４４ｃ）は、第１被封止部３５（第２被封止部４４）に設けられた係止部３５ｅに係止して組み付けられる。
【００５０】
ストッパー３５ｄ（４４ｄ）は、第１かしめピン４１（第２かしめピン３７）を第１嵌め込み孔３５ａ（４４ａ）に嵌め込まれるとピン先端部の一対の爪４１ｃ（３７ｃ）が一対の係止爪３５ｃ（４４ｃ）に挟み込まれた高さ位置で停止するように嵌め込み深さを規制している（図１１（ｂ）参照）。
【００５１】
以下では、第１封止部４２と第１被封止部３５のかしめ動作について説明する。図１０（ａ），図１１（ａ）において、ベース体３２を蓋ケース３１に重ね合わせ（重合状態）、かつ第１封止部４２と第１被封止部３５が位置合わせされた状態（閉塞重合状態）を示す。
【００５２】
図１０（ｂ），図１１（ｂ）において、工具４５（例えばドライバー）を用い、２箇所ある第１封止部４２のうちいずれかの貫通孔４２ｅより挿入して第１かしめピン４１の頭部４１ａを押し下げる。ガイドリング４２ｇによって一対の爪４１ｃ（３７ｃ）の間隔が弾性変形により縮小されたまま、第１かしめピン４１はピン先端部を第１嵌め込み孔３５ａに嵌め込まれ、蓋体３５ｂのストッパー３５ｄに突き当たった状態で弾性復帰し嵌め込み孔３５ａに係止している。
【００５３】
このとき、図１１（ｂ）に示すように、蓋体４２ａに突設された一対の係止爪４２ｆは、係止部４２ｅによって一対の係止爪４２ｆの間隔が拡大される方向への変形が規制され、頭部４１ａによって一対の係止爪４２ｆの間隔が縮小される方向への変形が規制されるので、蓋体４２ａを取り外すことができなくなる。
また、蓋体３５ｂに突設された一対の係止爪３５ｃは、係止部３５ｅによって一対の係止爪３５ｃの間隔が拡大される方向への変形が規制され、ピン先端部が嵌め込まれて一対の爪４１ｃ（３７ｃ）と係止することによって一対の係止爪３５ｃの間隔が縮小される方向への変形が規制されるので、蓋体３５ｂを取り外すことができなくなる。これにより、蓋ケース３１とベース体３２が第１かしめピン４１によって嵌め殺し状態で封止される。
同様にして、第２かしめピン３７をかしめた状態で、蓋体３８ａと蓋体４４ｂが取り外せないので、蓋ケース３１とベース体３２が第２かしめピン４１によって嵌め殺し状態で封止される。
【００５４】
また、第１封止部４２（第２封止部３８）において、工具等を挿入可能な貫通孔４２ｄ（３８ｅ）がケース表側（同一面側）に露見しているので、基板収納ケース２８を封止する際の作業性がよい。
【００５５】
次に、封止された基板収納ケース２８を開放する場合について、図６乃至図８及び図１０乃至図１２を参照して説明する。
図１２（ｂ）において、手前側（図面右側）の第１封止部４２が封止されているものとする。
先ず、図示しないニッパ等の工具を用いて第１封止部４２と重合アーム４０を接続する切断部４０ｂを切断する（図１０（ｃ）参照）。その後、図１２（ｃ）に示すように例えばベース体３２を基板ケー３１の側部３１ｄから側部３１ｃに向ってスライドさせる。これにより、図１１（ｃ）に示すように、かしめられていない第１封止部４２のみがスライドする。これにより、側部３１ｃに突設された係合突起３９ａは側部３２ｃに穿孔された係合孔４３ａから抜け出て係合が解除され、側部３２ｄに突設された係合突起４３ｂが側部３１ｄに穿孔された係合孔３９ｂより抜け出て回転不能となる係合状態が解除される。
【００５６】
そして、図８（ａ）に示す蓋ケース３１にベース体３２が重なり合った状態から、図７（ａ）に示すようにベース体３２を離間するように重合アーム４０を湾曲面３４ａに沿って時計回り方向へ回転させる。図６に示すようにベース体３２が蓋ケース３１に対して垂直になるまで回転させた状態で重合アーム４０を挿入孔３６より引き抜くことでベース体３２を蓋ケース３１から取り外すことができる。尚、主制御基板２５は、ビス３３を外すことで蓋ケース３１から取り外すことができる。
【００５７】
ベース体３２の重合アーム４０の先端には第１かしめピン４１を備えた第１封止部４２が設けられ、蓋ケース３１の枠体部３４には、第１かしめピン４１が嵌め込まれる第１被封止部３５が設けられているので、既にかしめられたいずれかの第１封止部４２を破壊するとベース体３２に開封の痕跡が残る。
また、蓋ケース３１には第２かしめピン３７を備えた第２封止部３８が設けられ、ベース体３２には第２かしめピン３７嵌め込まれる第２被封止部４４が設けられているので、既にかしめられたいずれかの第２封止部３８を破壊すると蓋ケース３１に開封の痕跡が残る。
【００５８】
よって、一旦組み付けられた基板収納ケース２８を開放するには、蓋ケース３１及びベース体３２の双方に開封の痕跡が残るので、蓋ケース３１若しくはベース体３２を複製する不正行為を防止することができる。
また、基板収納ケース２８の開封の痕跡がケース表側（同一面側）に露見するので不正行為が発見し易くなる。また、検査等で基板収納ケース２８を開封する際に、切断部３８ｂ，４０ｂがケース表側（同一面側）に設けられているため作業性がよい。
また、パチンコ機１の中古台市場の拡大にともない、一旦封止された基板収納ケース２８を開放し難く、蓋ケース３１及びベース体３２を複製し難くすることにより不正防止効果を高めることができる。
【００５９】
尚、上記実施形態は、ベース体３２に重合アーム４０を設けて蓋ケース３１の枠体部３４に対して回転及びスライドさせて組み付ける場合を例示したが、ベース体３２に枠体部３４を形成し蓋ケース３１に重合アーム４０を設けて回転及びスライドさせて組み付けるようにしてもよい。
また、第１，第２封止具はかしめピンに限らずワンウェイねじ等であってもよく、第１，第２被封止部はピン孔に限らずねじ孔等であってもよい。
また、基板収納ケース２８は、主制御基板２５を収納する場合について説明したが、他の制御基板（例えば払出制御基板２６、発射制御基板２７等）を収納するケースに適用してもよい。
また、遊技機の一例としてパチンコ機について説明したが、他の遊技機、例えば雀球遊技機やアレンジボール遊技機などに適用してもよい。
【符号の説明】
【００６０】
１  パチンコ機
２  外枠
３  遊技盤
４  内枠
４ａ，４ｂ  ヒンジ
５  前面枠
６  窓部
７  スピーカー
８  球受け皿
９  発射ハンドル
１０  図柄表示装置（液晶表示装置）
１１  センター役物
１２  スルーチャッカー
１３  風車
１４  電動チューリップ
１５  アタッカー
１６  遊技盤レール
１７  サイドランプ
１８  アウト口
１９  貯留タンク
２０  タンクレール
２１  球払出装置
２２  球払出通路
２３  球払出樋
２４  盤裏カバー
２５  主制御基板
２６  払出制御基板
２７  発射制御基板
２８  基板収納ケース
２９  コネクタ端子台
３０  照合端子
３１  蓋ケース（第１ケース体）
３１ａ，３１ｂ，３１ｃ，３１ｄ  側部
３１ｅ，３１ｆ  挿通孔
３２  ベース体（第２ケース体）
３３  ビス
３４，４３，３８ｃ，４２ｂ  枠体部（延設部）
３４ａ  湾曲面
３５  第１被封止部
３５ａ  第１嵌め込み孔（第１被封止部）
４４ａ  第２嵌め込み孔（第２被封止部）
３５ｂ，３８ａ，４２ａ，４４ｂ  蓋体
３５ｃ，３８ｆ，４２ｆ，４４ｃ  係止爪
３５ｄ，４４ｄ  ストッパー
３５ｅ，４２ｅ  係止部
３６  挿入孔
３６ａ  ガイドリブ
３７  第２かしめピン（第２封止具）
３７ａ，４１ａ  頭部
３７ｂ，４１ｂ  係止溝
３７ｃ，４１ｃ  爪
３８  第２封止部
３８ｂ，４０ｂ  切断部
３８ｄ，４２ｃ  保持部材
３８ｅ，４２ｄ  貫通孔
３９ａ，４３ｂ  係合突起
３９ｂ，４３ａ  係合孔
４０  重合アーム（重合部）
４０ａ  湾曲部
４１  第１かしめピン（第１封止具）
４２  第１封止部
４２ｇ  ガイドリング
４４  第２被封止部
４５  工具
【図１】
0005644021.tif 000002
【図２】
0005644021.tif 000003
【図３】
0005644021.tif 000004
【図４】
0005644021.tif 000005
【図５】
0005644021.tif 000006
【図６】
0005644021.tif 000007
【図７】
0005644021.tif 000008
【図８】
0005644021.tif 000009
【図９】
0005644021.tif 000010
【図１０】
0005644021.tif 000011
【図１１】
0005644021.tif 000012
【図１２】
0005644021.tif 000013
【図１３】
0005644021.tif 000014